(57)【要約】【課題】外形を小型化して持ち歩きと取り扱いを容易にする。【解決手段】無接点式の充電アダプタは、円形の受電コイル１５と、充電回路１３を実装する回路基板１４を外装ケース２０に収納し、コネクタ３０を先端に接続しているリード線１１を外部に引き出している。外装ケース２０は、円盤状の本体ケース部２０Ａの外周縁に突出部２０Ｂを設けて、これらの境界に、コネクタ３０を連結するコネクタ嵌着凹部２３を設けている。コネクタ３０はコネクタ嵌着凹部２３に嵌着されるツマミ部３３から突出する連結部３４を有し、突出部２０Ｂは連結部３４が挿入される脱着凹部２４を有する。充電アダプタは、コネクタ３０の連結部３４を、突出部２０Ｂの脱着凹部２４から外して電池内蔵機器８０に接続して充電電力を供給し、コネクタ３０の連結部３４を電池内蔵機器８０から引き抜き、突出部２０Ｂの脱着凹部２４に嵌着してコネクタ３０を外装ケース２０に連結する。【選択図】図７
2012223027.tif 000002
【特許請求の範囲】
【請求項１】
送電コイル(95)を内蔵して電磁誘導作用で電力を搬送して充電するための充電台(90)に載置して、電力を受け取り、充電電力を外部電気機器に供給するための無接点式の充電アダプタであって、
送電コイル(95)と電磁結合可能な、外形を円形とした受電コイル(15)と、
この受電コイル(15)に誘導される交流を直流の充電電力に変換して出力する充電回路(13)を実装する回路基板(14)と、前記受電コイル(15)と回路基板(14)とを積層する状態で収納している外装ケース(20)と、前記充電回路(13)に接続されて充電する電池内蔵機器(80)に接続されるコネクタ(30)を先端に接続している外装ケース(20)から引き出されてなるリード線(11)とを備えており、
前記外装ケース(20)は、外形を前記受電コイル(15)の円形に沿う円盤状とする本体ケース部(20A)の外周縁の一部から、本体ケース部(20A)と同一平面に突出する突出部(20B)を設けて、突出部(20B)と本体ケース部(20A)の外周縁との境界に、本体ケース部(20A)と同一平面に位置するように前記コネクタ(30)を連結するコネクタ嵌着凹部(23)を設けており、
前記コネクタ(30)は、コネクタ嵌着凹部(23)に嵌着される外形のツマミ部(33)と、このツマミ部(33)から突出して、電池内蔵機器(80)のコネクタ(84)に接続されて充電電力を供給する接点を有する連結部(34)とを有し、
前記外装ケース(20)の突出部(20B)は、前記コネクタ嵌着凹部(23)を形成する内面に、前記コネクタ(30)の連結部(34)を挿入する脱着凹部(24)を設けており、
前記コネクタ(30)は、ツマミ部(33)をコネクタ嵌着凹部(23)に配置する状態で、前記脱着凹部(24)に挿入される位置に連結部(34)を設けており、
さらに、前記コネクタ(30)と外装ケース(20)とは、前記ツマミ部(33)を前記コネクタ嵌着凹部(23)に配置する状態でコネクタ(30)を外装ケース(20)に連結する係止構造を有し、
前記コネクタ(30)の連結部(34)が、前記外装ケース(20)の突出部(20B)に設けている脱着凹部(24)から外されて電池内蔵機器(80)のコネクタ(84)に接続されて電池内蔵機器(80)に充電電力を供給し、
また、前記コネクタ(30)の連結部(34)が電池内蔵機器(80)のコネクタ(84)から引き抜かれて、前記突出部(20B)の脱着凹部(24)に嵌着されて、コネクタ(30)を外装ケース(20)のコネクタ嵌着凹部(23)に連結するようにしてなる無接点式の充電アダプタ。
【請求項２】
前記外装ケース(20)の突出部(20B)がその両側に、
前記本体ケース部(20A)の円盤状の接線方向に向かって延長された第１突出面(20P)と、
前記第１突出面(20P)と略平行に、円盤状である本体ケース部(20A)の略中心から半径方向に延びる第２突出面(20Q)とを有し、
前記第１突出面(20P)と前記第２突出面(20Q)が先端面(20R)で連結されて、前記突出部(20B)を形成しており、
前記第２突出面(20Q)と前記本体ケース部(20A)の外周とで前記コネクタ嵌着凹部(23)を形成しており、前記第２突出面(20Q)には前記コネクタ(30)の連結部(34)を挿入する脱着凹部(24)を設けており、
前記コネクタ(30)のツマミ部(33)は、コネクタ嵌着凹部(23)に連結された状態で、
前記本体ケース部(20A)の円盤状の接線に沿って延長される第１コネクタ面(30P)と、
前記第２突出面(20Q)に沿う形状であって、連結部(34)を突出させてなる第２コネクタ面(30Q)と、
前記突出部(20B)の先端面(20R)の延長線上に位置する第３コネクタ面(30R)と、
一端を前記第１コネクタ面(30P)に、他端を第２コネクタ面(30Q)に連結して、前記本体ケース部(20A)の円盤の円弧に沿う形状の第４コネクタ面(30S)とを有し、
前記コネクタ(30)がコネクタ嵌着凹部(23)にセットされる状態で、コネクタ(30)と突出部(20B)とが円盤状の本体ケース部(20A)から半径方向に突出するよう位置する請求項１に記載される無接点式の充電アダプタ。
【請求項３】
前記コネクタ(30)がコネクタ嵌着凹部(23)に連結される状態で、
前記突出部(20B)の先端面(20R)が第１突出面(20P)と第２突出面(20Q)に対して直交する直線状で、
前記第３コネクタ面(30R)と先端面(20R)とが直線上に位置する請求項２に記載される無接点式の充電アダプタ。
【請求項４】
前記コネクタ(30)がコネクタ嵌着凹部(23)に連結される状態で、
前記突出部(20B)の第１突出面(20P)と前記コネクタ(30)の第１コネクタ面(30P)とが互いに平行である請求項２または３に記載される無接点式の充電アダプタ。
【請求項５】
前記外装ケース(20)の外周縁に沿って、前記リード線(11)を案内するガイド溝(26)を設けており、
前記リード線(11)の一端が、突出部(20B)の第１突出面(20P)に設けたガイド溝(26)から外装ケース(20)の外部に引き出されると共に、リード線(11)の他端が、コネクタ(30)の第４コネクタ面(30S)の途中から前記ツマミ部(33)の外部に引き出されてなる請求項２ないし４のいずれかに記載される無接点式の充電アダプタ。
【請求項６】
前記コネクタ(30)のツマミ部(33)が、外装ケース(20)よりも柔軟な軟質のプラスチック製である請求項１ないし５のいずれかに記載される無接点式の充電アダプタ。
【請求項７】
円盤状である前記本体ケース部(20A)は、内部に収納する前記受電コイル(15)を近接させた底プレート(22A)を平面状としており、
前記底プレート(22A)と対向する上面プレート(21A)を、ドーム状に湾曲させてなることを特徴とする請求項１ないし６のいずれかに記載される無接点式の充電アダプタ。
【請求項８】
前記突出部(20B)にストラップ用ホール(28)を開口しており、
前記ストラップ用ホール(28)の、前記底プレート(22A)に面する側の周囲は、該底プレート(22A)よりも低くなるように段差部(22d)が設けられてなることを特徴とする請求項１ないし７のいずれかに記載される無接点式の充電アダプタ。
【発明の詳細な説明】
【技術分野】
【０００１】
本発明は、携帯電話等の電池駆動機器に収納される充電できる電池に対して、電磁誘導作用で電力を搬送して無接点又はワイヤレスで充電するための充電台に載置して、電力を受け取るための無接点式の充電アダプタに関する。
【背景技術】
【０００２】
携帯電話や携帯音楽プレーヤ等のモバイル機器に代表される電池駆動機器は、携帯に便利なように、充電できる電池により駆動されるものが多い。このような電池駆動機器は、電池を素電池の状態で、あるいは電池パックの状態で収納している。電池駆動機器は、電池を収納する状態で充電器に接点を接続して充電される。一方で、このように接点を接続することなく、電磁誘導の作用を利用して充電台に内蔵された送電コイルから、受電コイルに対して電力を搬送して、電池を充電する充電台が開発されている（特許文献１参照）。
【０００３】
特許文献１は、充電台に、交流電源で励磁される送電コイルを内蔵し、この送電コイルに電磁結合される受電コイルを電池内蔵機器に設けて、受電コイルに誘導される電力で電池内蔵機器の電池を充電する。電池内蔵機器は、受電コイルに誘導される交流を整流し、これを電池に供給して充電する充電回路を内蔵している。この構造によると、充電台の上に電池内蔵機器を載せて、接点を接続することなく無接点な状態で電池を充電できる。
【０００４】
このような非接触、無接点による充電方式で電池を充電するには、電池内蔵機器を専用設計する必要がある。すなわち、電池内蔵機器に受電コイルを設けて、充電台から送られる電力で電池を充電する充電回路を備える必要がある。言い換えると、既存の携帯電話等には利用できないという問題があった。
【０００５】
これに対して、受電コイルなどの充電回路を設けた充電アダプタを用意し、充電アダプタで受けた電力を、電池内蔵機器である携帯電話等の充電端子に接続して充電するようにした構成が提案されている（特許文献２及び３参照）。
【０００６】
これ等の充電アダプタは、受電コイルとこの受電コイルに誘導される交流を直流に変換する充電回路をケースに内蔵している。特許文献２の充電アダプタは、図１と図２に示すように、携帯用電気機器１８０に接続するコネクタ１３０をケース１２０に設けている。このコネクタ１３０が携帯用電気機器１８０に接続されて、携帯用電気機器１８０の内蔵電池が充電される。この充電アダプタ１１０は、図２に示すように、先端にコネクタ１３０のあるリード線１１１を介して携帯用電気機器１８０に接続されて、携帯用電気機器１８０の内蔵電池を充電する。
【０００７】
この充電アダプタは、外観が大きくて嵩張るため、例えば携帯電話のストラップとして付加した場合に、持ち運びに差し支えるという問題があった。また、携帯電話等の充電端子に接続するためのコネクタが突出して、非使用時にはコネクタ部分が邪魔になったり、リード線が邪魔になる問題があった。
【０００８】
一方、特許文献３の充電アダプタは、図３と図４に示すように、コネクタ部分２３０をアダプタ本体２２０に脱着できるようにしている。この充電アダプタ２１０は、アダプタ本体２２０の外形を四角形とし、四隅の一部にＵＳＢコネクタ２３０を脱着できるように連結している。この充電アダプタ２１０は、非使用時にはＵＳＢコネクタ２３０をアダプタ本体２２０に装着して、アダプタ本体２２０の一部としてデザイン的に一体的に構成できる利点が得られる。
【０００９】
しかしながら、この充電アダプタも、全体が大きくて嵩張るという問題は依然として残る。また、外形を小さくする充電アダプタは、充電回路を実装する回路基板と、受電コイルとを積層してケースに収納しているから、この充電アダプタは受電コイルがケースの片面に配置される。この充電アダプタは、受電コイルを設けた面を、充電台の上面に載せる必要がある。反対面が充電台の上に載せられると、受電コイルが充電台の送電コイルから離れて効率よく充電できなくなるからである。しかしながら、図５のような形状では、充電アダプタを逆向きの姿勢で充電パッドに載置するおそれがあり、この場合は効率よく充電できなくなる問題があった。また、どちらの面を下向きにして充電台に載せても充電できるように、受電コイルを両面に設ける構成とすることもできるが、この場合は構成が複雑化してコストが高くなる上、外形が更に大型化するという問題もあった。さらに、充電アダプタは、ケースの中央に受電コイルを配置して、受電コイルの外側に充電回路を実装する回路基板を配置することで、いずれの面を充電台に載せても充電できる。しかしながら、この充電アダプタは、受電コイルの外側に回路基板を配置するので外形が相当に大きくなって、便利に持ち運びできなくなる。
【先行技術文献】
【特許文献】
【００１０】
【特許文献１】特開２００９−２４７１９４号公報
【特許文献２】特開２００４−３５０４６５号公報
【特許文献３】米国意匠特許第Ｄ６２５７２１号明細書
【発明の概要】
【発明が解決しようとする課題】
【００１１】
本発明は、従来のこのような問題点を解決するためになされたものである。本発明の主な目的は、外形を小型化して持ち歩きを容易にし、取り扱い易くした無接点式の充電アダプタを提供することにある。
【課題を解決するための手段及び発明の効果】
【００１２】
本発明の無接点式の充電アダプタは、送電コイル９５を内蔵して電磁誘導作用で電力を搬送して充電するための充電台９０に載置して、電力を受け取り、充電電力を外部電気機器８０に供給する。無接点式の充電アダプタは、送電コイル９５と電磁結合可能な、外形を円形とした受電コイル１５と、この受電コイル１５に誘導される交流を直流の充電電力に変換して出力する充電回路１３を実装する回路基板１４と、受電コイル１５と回路基板１４とを積層する状態で収納している外装ケース２０と、充電回路１３に接続されて充電する電池内蔵機器８０に接続されるコネクタ３０を先端に接続している、外装ケース２０から引き出されてなるリード線１１とを備えている。外装ケース２０は、外形を受電コイル１５の円形に沿う円盤状とする本体ケース部２０Ａの外周縁の一部から、本体ケース部２０Ａと同一平面に突出する突出部２０Ｂを設けて、突出部２０Ｂと本体ケース部２０Ａの外周縁との境界に、本体ケース部２０Ａと同一平面に位置するようにコネクタ３０を連結するコネクタ嵌着凹部２３を設けている。コネクタ３０は、コネクタ嵌着凹部２３に嵌着される外形のツマミ部３３と、このツマミ部３３から突出して、電池内蔵機器８０のコネクタ８４に接続されて充電電力を供給する接点３５を有する連結部３４とを有する。外装ケース２０の突出部２０Ｂは、コネクタ嵌着凹部２３を形成する内面に、コネクタ３０の連結部３４を挿入する脱着凹部２４を設けており、コネクタ３０は、ツマミ部３３をコネクタ嵌着凹部２３に配置する状態で、脱着凹部２４に挿入される位置に連結部３４を設けている。さらに、コネクタ３０と外装ケース２０は、ツマミ部３３をコネクタ嵌着凹部２３に配置する状態でコネクタ３０を外装ケース２０に連結する係止構造を有し、コネクタ３０の連結部３４が、外装ケース２０の突出部２０Ｂに設けている脱着凹部２４から外されて、電池内蔵機器８０のコネクタ８４に接続されて電池内蔵機器８０に充電電力を供給し、また、コネクタ３０の連結部３４が電池内蔵機器８０のコネクタ８４から引き抜かれて、突出部２０Ｂの脱着凹部２４に嵌着されて、コネクタ３０を外装ケース２０のコネクタ嵌着凹部２３に連結する
【００１３】
以上の無接点式の充電アダプタは、外形を小型化して持ち歩きを容易にしながら、取り扱い易くできる特徴がある。それは、以上の充電アダプタが、外装ケースとして、外形を受電コイルの円形に沿う円盤状とする本体ケース部の外周縁の一部から、本体ケース部と同一平面に突出する突出部を設けて、突出部と本体ケース部の外周縁との境界に、本体ケース部と同一平面に位置するようにコネクタを連結するコネクタ嵌着凹部を設けており、コネクタが、コネクタ嵌着凹部に嵌着される外形のツマミ部から突出して、電池内蔵機器のコネクタに接続される連結部とを有すると共に、外装ケースの突出部には、コネクタの連結部を挿入する脱着凹部を設けているからである。このコネクタは、連結部を外装ケースの脱着凹部から外して、電池内蔵機器のコネクタに接続して電池内蔵機器に充電電力を供給し、また、コネクタの連結部を電池内蔵機器のコネクタから引き抜して、突出部の脱着凹部に嵌着して、コネクタを外装ケースのコネクタ嵌着凹部に便利に連結できるので、外形を小型化して便利に携帯しながら、極めて簡単に取り扱いできる。
【００１４】
本発明の無接点式の充電アダプタは、外装ケース２０の突出部２０Ｂが、その両側に、本体ケース２０Ａの円盤状の接線方向に向かって延長された第１突出面２０Ｐと、第１突出面２０Ｐと略平行に、円盤状である本体ケース部２０Ａの略中心から半径方向に延びる第２突出面２０Ｑとを有し、第１突出面２０Ｐと第２突出面２０Ｑとを先端面２０Ｒで連結して、突出部２０Ｂを形成し、第２突出面２０Ｑと本体ケース部２０Ａの外周とでコネクタ嵌着凹部２３を形成して、第２突出面２０Ｑにはコネクタ３０の連結部３４を挿入する脱着凹部２４を設けることができる。さらに、コネクタ３０のツマミ部３３は、コネクタ嵌着凹部２３に連結する状態で、本体ケース部２０Ａの円盤状の接線に沿って延長される第１コネクタ面３０Ｐと、第２突出面２０Ｑに沿う形状であって、連結部３４を突出させてなる第２コネクタ面３０Ｑと、突出部２０Ｂの先端面２０Ｒの延長線上に位置する第３コネクタ面３０Ｒと、一端を第１コネクタ面３０Ｐに、他端を第２コネクタ面３０Ｑに連結して、本体ケース部２０Ａの円盤の円弧に沿う形状の第４コネクタ面３０Ｓとを有することができる。この充電アダプタは、コネクタ３０をコネクタ嵌着凹部２３にセットする状態で、コネクタ３０と突出部２０Ｂとを円盤状の本体ケース部２０Ａから半径方向に突出するよう位置させることができる。
【００１５】
本発明の無接点式の充電アダプタは、コネクタ３０をコネクタ嵌着凹部２３に連結する状態で、突出部２０Ｂの先端面２０Ｒを第１突出面２０Ｐと第２突出面２０Ｑに対して直交する直線状とし、第３コネクタ面３０Ｒと先端面２０Ｒとを直線上に位置させることができる。
【００１６】
本発明の無接点式の充電アダプタは、コネクタ３０をコネクタ嵌着凹部２３に連結する状態で、突出部２０Ｂの第１突出面２０Ｐとコネクタ３０の第１コネクタ面３０Ｐとが互いに平行となるようにすることができる。
以上の充電アダプタは、コネクタ嵌着凹部にコネクタを連結する状態で、突出部とコネクタの横幅（Ｗ）を本体ケース部の直径（Ｄ）にほぼ等しくできる。このため、この充電アダプタは、突出部とコネクタとが円盤状の本体ケース部から一方に突出する形状としてコンパクトな外形にできる。
【００１７】
本発明の無接点式の充電アダプタは、外装ケース２０の外周縁に沿って、リード線１１を案内するガイド溝２６を設けて、リード線１１の一端を、突出部２０Ｂの第１突出面２０Ｐに設けたガイド溝２６から外装ケース２０の外部に引き出すと共に、リード線１１の他端を、コネクタ３０の第４コネクタ面３０Ｓの途中からツマミ部３３の外部に引き出すことができる。
【００１８】
本発明の無接点式の充電アダプタは、コネクタ３０のツマミ部３３を、外装ケース２０よりも柔軟な軟質のプラスチック製とすることができる。
【００１９】
本発明の無接点式の充電アダプタは、円盤状である本体ケース部２０Ａが、内部に収納する受電コイル１５を近接させた底プレート２２Ａを平面状とし、底プレート２２Ａと対向する上面プレート２１Ａを、ドーム状に湾曲させることができる。
以上の充電アダプタは、平坦な底プレート側を充電台に載置するようにし、逆に曲面状の上面プレート側を載置しようとすると不安定となることから、ユーザに対して平坦面側を充電台に載置するように促す効果が得られ、無接点式の充電アダプタの置き違いを回避できる。
【００２０】
本発明の無接点式の充電アダプタは、突出部２０Ｂにストラップ用ホール２８を開口し、ストラップ用ホール２８の底プレート２２Ａに面する側の周囲を、底プレート２２Ａよりも低くなるように段差部２２ｄを設けることができる。
以上の充電アダプタは、ストラップ用ホールにストラップの紐材が通された際に、紐材の厚さ分、浮き上がることを防止して、受電コイルと送電コイルとの電磁結合効率を高めることができる。
【図面の簡単な説明】
【００２１】
【図１】従来の充電アダプタの分解斜視図である。
【図２】図１に示す充電アダプタの使用状態を示す斜視図である。
【図３】従来の他の充電アダプタの分解斜視図である。
【図４】図２に示す充電アダプタの使用状態を示す斜視図である。
【図５】図４に示す充電アダプタの正面図である。
【図６】本発明の一実施にかかる無接点式の充電アダプタの斜視図である。
【図７】図６に示す充電アダプタからコネクタを外した状態を示す斜視図である。
【図８】図６に示す充電アダプタの平面図である。
【図９】図８に示す充電アダプタのＩＸ−ＩＸ線断面図である。
【図１０】図６に示す充電アダプタの分解斜視図である。
【図１１】図１０に示す充電アダプタを下側から見た分解斜視図である。
【図１２】図８に示す充電アダプタの内部構造を示す平面図である。
【図１３】図７に示す充電アダプタを充電台にセットする状態を示す分解斜視図である。
【図１４】図１３に示す充電アダプタを充電台にセットして電池内蔵機器の内蔵電池を充電する状態を示す斜視図である。
【図１５】図１４に示す充電台が充電アダプタを介して電池内蔵機器の内蔵電池を充電する状態を示す断面図である。
【図１６】図１５に示す充電アダプタと充電台と電池内蔵機器のブロック図である。
【発明を実施するための形態】
【００２２】
以下、本発明の実施例を図面に基づいて説明する。ただし、以下に示す実施例は、本発明の技術思想を具体化するための無接点式の充電アダプタを例示するものであって、本発明は無接点式の充電アダプタを以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２３】
図６ないし図１６に、本発明の一実施の形態に係る無接点式の充電アダプタを示す。充電アダプタ１０は、充電台９０に載せられて、充電台９０からは無接点で電力を受け取り、受け取った電力をリード線１１とコネクタ３０を介して電池内蔵機器８０に出力して、電池内蔵機器８０に内蔵している内蔵電池８１を充電する。
【００２４】
充電台９０は、図１３ないし図１６に示すように、充電アダプタ１０に磁気誘導作用で電力を供給する送電コイル９５を内蔵している。充電アダプタ１０は、この送電コイル９５に電磁結合される受電コイル１５と、この受電コイル１５に誘導される交流を直流に変換して電池内蔵機器８０に出力する充電回路１３を内蔵している。
【００２５】
図１３ないし図１６に示す充電台９０は、送電コイル９５に交流電力を供給する交流電源９３と、この交流電源９３と送電コイル９５とを内蔵する外装ケース９２とを備えている。外装ケース９２は、充電アダプタ１０を脱着自在に載せる平面状の載せプレート９６を上面に設けている。図１３と図１４の充電台９０は、載せプレート９６の外形を充電アダプタ１０の外形よりも大きくしている。この充電台９０は、充電アダプタ１０を安定して載せプレート９６の上にセットできる。充電台９０は、載せプレート９６の下面に送電コイル９５を配置している。送電コイル９５は、載せプレート９６の下面に沿って移動するように配置している。この充電台９０は、載せプレート９６の上にセットされる充電アダプタ１０の位置を検出して、充電アダプタ１０の受電コイル１５に接近するように送電コイル９５を移動させる。この構造の充電台９０は、充電アダプタ１０をセットする位置を特定しない。載せプレート９６のあらゆる位置にセットされる充電アダプタ１０の受電コイル１５に送電コイル９５を接近させて効率よく磁気誘導作用で電力搬送できるからである。
【００２６】
送電コイル９５は、載せプレート９６の下に水平に配置できるように、渦巻き状に巻かれた平面状のコイルとしている。送電コイル９５のインダクタンスは、交流電力の周波数により最適値に設定される。たとえば、供給される交流電力の周波数を１００ｋＨｚ〜５００ｋＨｚとする送電コイルは、インダクタンスを数十μＨないし数ｍＨとする。ただし、充電台は、送電コイルに供給する交流電力の周波数をこの範囲には特定しない。送電コイルには、１００ｋＨｚよりも低く、あるいは５００ｋＨｚよりも高い周波数の交流電力を供給して、充電アダプタに磁気誘導作用で電力搬送できるからである。送電コイルのインダクタンスは、交流電力の周波数が高くなると小さく、周波数が低くなると大きくして、磁気誘導作用で効率よく受電コイルに電力搬送できる。
【００２７】
交流電源９３は、入力される電力を送電コイル９５に供給する周波数の交流に変換して出力する。交流電源９３は、ＡＣアダプタ９９から直流が入力され、あるいはＵＳＢコネクタなどのコネクタから直流が入力される。また、交流電源９３は、交流の商用電源を入力して、これを送電コイル９５に供給する周波数の交流に変換して出力することもできる。交流電源９３は、入力される直流や交流を所定の周波数と電圧の交流に変換して、送電コイル９５に出力する。ＡＣアダプタ９９やコネクタから直流電力を入力する交流電源９３は、ＤＣ／ＡＣインバータで直流を交流に変換して出力する。商用電源の交流を入力する交流電源は、交流を整流回路で直流に変換し、整流回路から出力される直流をＤＣ／ＡＣインバータで交流に変換して送電コイルに出力する。
【００２８】
交流電源９３は、充電アダプタ１０がセットされたことを検出し、あるいはユーザーが電源スイッチ（図示せず）をオンに切り換えて、送電コイル９５に交流電力を出力する。充電アダプタ１０を検出する交流電源９３は、充電アダプタ１０の検出回路（図示せず）を備えている。さらに、交流電源９３は、充電アダプタ１０を介して充電される電池内蔵機器８０の内蔵電池８１が満充電されたことを検出して、送電コイル９５の交流電力の出力を停止する。交流電源９３は、送電コイル９５の電流変化を検出して、電池内蔵機器８０の内蔵電池８１の満充電を検出する。電池内蔵機器８０の内蔵電池８１が満充電されると、受電コイル１５が無負荷となって受電コイル１５の電流がほぼ遮断された状態となる。受電コイル１５の電流がほぼ遮断されると、送電コイル９５の電流も減少する。したがって、交流電源９３は、送電コイル９５の電流が設定値よりも小さくなったことを検出して、電池内蔵機器８０の内蔵電池８１が満充電されたことを検出できる。他にも、機器同士の通信などによって満充電を検出することもできる。
【００２９】
以上の充電台９０は、充電アダプタ１０の受電コイル１５に接近するように送電コイル９５を移動させて、送電コイル９５から受電コイル１５に電力搬送する。この充電台９０は、送電コイル９５から受電コイル１５に効率よく電力搬送できる。ただ、充電台は、送電コイルを固定する構造とすることもできる。この充電台は、送電コイルをプラスチック製の載せプレートにインサート成形して固定することができる。送電コイルを載せプレートにインサート成形する充電台は、全体を薄くできる。また、送電コイルをしっかりと外装ケースに固定しながら、載せプレートの表面に接近するように送電コイルを配置して、受電コイルとの間隔を狭くして、効率よく交流電力を受電コイルに伝送できる。この充電台は、送電コイルに接近するように充電アダプタを載せ、あるいは送電コイルから広い領域に電力搬送する構造として、充電アダプタに電力搬送する。送電コイルを固定する外装ケースは、図示しないが、送電コイルの位置、いいかえると、充電アダプタをセットする位置を表示して、送電コイルから受電コイルに効率よく磁気誘導作用で電力を搬送する。この充電台は、充電アダプタを載せる位置を示すセット位置を図形等で表示して、充電アダプタを正常なセット位置に配置することができる。この充電台は、図形に合わせて充電アダプタをセットして、正常なセット位置に配置できる。
【００３０】
充電アダプタ１０は、図１３ないし図１６に示すように、外装ケース２０に、送電コイル９５に電磁結合される受電コイル１５と、この受電コイル１５に誘導される交流を直流に変換して出力する充電回路１３を実装する回路基板１４とを積層する状態で内蔵している。さらに、充電アダプタ１０は、充電回路１３に接続されて先端にコネクタ３０を接続しているリード線１１とを備えており、このリード線１１を外装ケース２０の外部に引き出している。充電アダプタ１０は、充電台９０に載せられる状態でリード線１１の先端のコネクタ３０を電池内蔵機器８０に接続する。この状態で、受電コイル１５に交流を誘導し、誘導される交流を充電回路１３で直流に変換し、直流をリード線１１とコネクタ３０を介して電池内蔵機器８０に供給して、電池内蔵機器８０の内蔵電池８１を充電する。
【００３１】
受電コイル１５は、線材を平面に渦巻き状に巻いた平面コイルである。この平面コイルの受電コイル１５は、渦巻きを１層又は複数層に巻いて、全体の形状を円板状として外形を円形としている。
【００３２】
回路基板１４は、図９ないし図１１に示すように、受電コイル１５に積層するように配設されて、回路基板１４と受電コイル１５との間には、シールドプレート１６を配置している。シールドプレート１６は、受電コイル１５に誘導される交流磁界から回路基板１４をシールドする。さらに、シールドプレート１６と回路基板１４との間に絶縁シート１７を積層して、受電コイル１５、シールドプレート１６、絶縁シート１７、回路基板１４を積層して外装ケース２０に収納している。
【００３３】
回路基板１４は、受電コイル１５に誘導される交流を直流に変換して出力する充電回路１３を実装している。充電回路１３は、図１６に示すように、受電コイル１５に誘導される交流を整流して直流に変換する整流回路４１と、この整流回路４１で整流された脈流を平滑化する平滑回路４２の平滑コンデンサー４２Ａとを備えている。さらに、充電回路１３は、平滑回路４２から出力される直流を一定の電圧に安定化する安定化回路を内蔵し、また、出力電流を一定の電流に制御する定電流回路を内蔵する、定電圧・定電流回路４３を内蔵することで、電池内蔵機器８０の内蔵電池８１を安定して充電できる。受電コイル１５やシールドプレート１６に積層している回路基板１４は、図９において、上面に電子部品１８を実装して、回路基板１４の上方に設けている外装ケース２０の中空部２９に放熱するようにしている。
【００３４】
回路基板１４は、図１０ないし図１２に示すように、外形を円形とする受電コイル１５の外形に沿う円形の一部に、後述する外装ケース２０の突出部２０Ｂの内部に突出する嵌着部１４Ａを突出させている外形で、円形の中心には貫通孔１４ａを設けている。この貫通孔１４ａは、外装ケース２０の底プレート２２Ａに一体的に成形して設けているセンター軸２２ａが挿入される。センター軸２２ａは、図９の断面図に示すように、底プレート２２Ａから垂直に突出するように設けられて、その下部には、回路基板１４を載せる載せ台部２２ｂを設けている。載せ台部２２ｂは、貫通孔１４ａの外形よりも太く、この上に回路基板１４を載せて定位置に配置している。さらに、外装ケース２０の上面プレート２１Ａは、センター軸２２ａを挿入する位置にセンター筒２１ａを一体的に成形して設けている。センター筒２１ａは、内形をセンター軸２２ａの先端の外形にほぼ等しくして、センター軸２２ａを挿入できるようにし、かつ、その外形を回路基板１４の貫通孔１４ａよりも大きくして、回路基板１４の上面を押圧している。この構造の外装ケース２０は、センター軸２２ａの載せ台部２２ｂとセンター筒２１ａとで回路基板１４を両面から挟着して定位置に配置する。さらに、図９の外装ケース２０は、回路基板１４の外形に沿う周壁２１Ｂ，２２Ｂを設けており、この周壁２１Ｂ、２２Ｂの内側に回路基板１４を配置して、定位置に配置している。
【００３５】
リード線１１は、一端を回路基板１４に接続している。外装ケース２０は、図１０と図１２に示すように、底プレート２２Ａの外周に一体的に成形している周壁２２Ｂに、リード線１１を案内するガイド隙間２５を設けている。ガイド隙間２５は、Ｕ曲部２５Ａを連結しているジグザグ状で、一端を周壁２２Ｂの外部に、他端を周壁２２Ｂの内部に開口して、回路基板１４に接続しているリード線１１を周壁２２Ｂの外部に、すなわち外装ケース２０の外部に引き出している。ガイド隙間２５は、周壁２２Ｂの外部に引き出される部分に湾曲部２２ｃを設けて、リード線１１を湾曲させる状態で周壁２２Ｂの外側に沿うように引き出している。
【００３６】
さらに、外装ケース２０の外部に引き出されたリード線１１は、外装ケース２０の周壁２２Ｂに設けているガイド溝２６に案内される。したがって、ガイド溝２６の一端は湾曲部２２ｃを介してジグザグ状のガイド隙間２５に連結している。リード線１１は、その全長を、コネクタ３０を外装ケース２０に連結する状態で、周壁２２Ｂから外部にはみ出すことなく、ガイド溝２６に案内できる長さとしている。
【００３７】
さらに、図７、及び図９ないし図１２に示すリード線１１は、フラットケーブル１１Ａとしている。また、ガイド溝２６は、このフラットケーブル１１Ａを案内する断面形状の溝形としている。フラットケーブル１１Ａであるリード線１１は、図９と図１２に示すように、フラット面１１ａをガイド溝２６の底面である外装ケース２０の周壁２２Ｂの表面に対向させる姿勢としてガイド溝２６に配置している。このリード線１１は、外装ケース２０の周壁２２Ｂの外周面にフラット面１１ａが沿う状態で外装ケース２０に巻き付けられてガイド溝２６に収納される。ガイド溝２６は、図９に示すように、断面形状を略コ字状とする溝形で、その開口幅（Ｈ）をフラットケーブル１１Ａの幅（ｄ）にほぼ等しくし、あるいはやや大きくして、その内部にフラットケーブル１１Ａをスムーズに案内できるようにしている。さらに、ガイド溝２６は、その深さ（Ｍ）を、フラットケーブル１１Ａの厚さ（ｔ）よりも深くして、フラットケーブル１１Ａをガイド溝２６に収納する状態で、フラットケーブル１１Ａがガイド溝２６からはみ出さないようにしている。このフラットケーブル１１Ａは、幅（ｄ）を約３ｍｍとし、厚さ（ｔ）を約１ｍｍとしている。さらに、外装ケース２０は、このフラットケーブル１１Ａを収納するガイド溝２６の開口幅（Ｈ）を３．１ｍｍ〜３．２ｍｍとし、深さ（Ｍ）を１．１ｍｍ〜１．２ｍｍとしている。このように、リード線１１をフラットケーブル１１Ａとし、フラット面１１ａをガイド溝２６の底面である外装ケース２０の周壁２２Ｂに沿って巻き付けながら収納する構造は、リード線を太くすることなく、また、ガイド溝を深く成形することなくリード線を外装ケースの外周に沿って収納できる。したがって、外装ケースの外形を大きくすることなく、外装ケースの外周に沿ってガイド溝を設けて、リード線をコンパクトに収納できる。さらに、フラットケーブル１１Ａであるリード線１１は、経時的に撚りや捻れが生じるのを有効に防止できるので、長期間にわたって正しい姿勢でガイド溝２６に案内しながら、先端に設けたコネクタ３０を常に正しい姿勢で外装ケースに連結できる特徴がある。
【００３８】
リード線１１の先端に連結しているコネクタ３０は、電池内蔵機器８０のコネクタ８４に脱着できるように接続されるＵＳＢコネクタである。ＵＳＢコネクタは、携帯用電気機器を含む、種々の電池内蔵機器８０に接続されて、内蔵している内蔵電池８１を充電できる。ただし、コネクタは必ずしもＵＳＢコネクタとする必要はなく、電池内蔵機器のコネクタに接続できる種々の形状とすることができる。
【００３９】
図７と図１２のコネクタ３０は、ツマミ部３３から連結部３４を突出させる形状としている。ツマミ部３３は、外装ケース２０のコネクタ嵌着凹部２３に嵌着して連結される外形であって、外装ケース２０よりも柔軟なプラスチックで成形している。連結部３４は、電池内蔵機器８０のコネクタ８４に接続されて充電電力を供給する接点３５を備えている。
【００４０】
外装ケース２０は、その外形を、図６ないし図８に示すように、受電コイル１５の円形に沿う円盤状（＝厚みのある円形板状）とする本体ケース部２０Ａの外周縁の一部から、本体ケース部２０Ａと同一平面に突出する突出部２０Ｂを設けて、突出部２０Ｂと本体ケース部２０Ａの外周縁との境界に、本体ケース部２０Ａと同一平面に位置するようにコネクタ３０を連結するコネクタ嵌着凹部２３を設けている。
【００４１】
外装ケース２０は、底プレート２２Ａに周壁２２Ｂを一体的に成形している下ケース２２と、上面プレート２１Ａに周壁２１Ｂを一体的に成形している上ケース２１とからなり、上ケース２１と下ケース２２とを周壁２１Ｂ、２２Ｂで連結して、内部に受電コイル１５や回路基板１４を内蔵させる収納スペースを設けている。上ケース２１と下ケース２２とを連結している外装ケース２０は、上ケース２１の上面プレート２１Ａと、下ケース２２の底プレート２２Ａとに、円形の本体ケース部２０Ａから突出して突出部２０Ｂを形成する突出領域２１Ｃ、２２Ｃを設けている。
【００４２】
下ケース２２は、図９に示すように、下面の底プレート２２Ａを平面状として、充電台９０の載せプレート９６に沿う形状としている。この底プレート２２Ａの上面に接近するように、平面コイルの受電コイル１５を配置している。この構造は、受電コイル１５を送電コイル９５に接近できる。上ケース２１は、上面プレート２１Ａの本体ケース部２０Ａを、中央凸に湾曲するアーチ状として、上面プレート２１Ａと回路基板１４との間に、放熱用の空隙である中空部２９を設けている。底プレート２２Ａを平面状として、上面プレート２１Ａを湾曲するアーチ状とする外装ケース２０は、ユーザーが裏表を正確に判断できる。このため、ユーザーは、平面状の底プレート２２Ａを充電台９０に載せ、受電コイル１５を送電コイル９５に接近して、電池内蔵機器８０を効率よく充電できる。
【００４３】
図１０と図１１の外装ケース２０は、上ケース２１と下ケース２２の周壁２１Ｂ、２２２Ｂを連結して本体ケース部２０Ａから突出する突出部２０Ｂを設けている。突出部２０Ｂは、底プレート２２Ａの突出領域２２Ｃと上面プレート２１Ａの突出領域２１Ｃとを周囲の周壁２２Ｂ、２１Ｂで連結して、内部に回路基板１４の一部である嵌着部１４Ａやリード線１１を内蔵している。底プレート２２Ａは、全体を平面状として、本体ケース部２０Ａから突出領域２２Ｃを設けており、上面プレート２１Ａは、アーチ状の本体ケース部２０Ａから平面状に突出して突出領域２１Ｃを設けている。上面プレート２１Ａと底プレート２２Ａの突出領域２１Ｃ、２２Ｃは互いに平行な面内にあって、突出部２０Ｂの厚さをコネクタ３０のツマミ部３３の厚さに等しくしている。
【００４４】
図８、図１０、及び図１１の外装ケース２０は、突出部２０Ｂの両側に、本体ケース部２０Ａの円盤状の接線方向に向かって延長された第１突出面２０Ｐと、第１突出面２０Ｐと略平行に、円盤状である本体ケース部２０Ａの略中心から半径方向に延びる第２突出面２０Ｑとを設け、第１突出面２０Ｐと第２突出面２０Ｑを先端面２０Ｒで連結して、突出部２０Ｂを形成している。第１突出面２０Ｐと第２突出面２０Ｑと先端面２０Ｒは、突出領域２１Ｃ、２２Ｃの外周に沿って設けている周壁２１Ｂ、２２Ｂで構成されて、その内側に、回路基板１４やリード線１１を配置している。この外装ケース２０は、第２突出面２０Ｑと本体ケース部２０Ａの外周とで、コネクタ嵌着凹部２３を形成して、第２突出面２０Ｑの周壁２１Ｂ、２２Ｂには、コネクタ３０の連結部３４を挿入する脱着凹部２４を設けている。図８の外装ケース２０は、突出部２０Ｂの先端面２０Ｒを、第１突出面２０Ｐと第２突出面２０Ｑに対して直交する直線状としている。さらに、図７と図８の外装ケース２０は、突出部２０Ｂの第２突出面２０Ｑにコネクタ嵌着凹部２３を設けて、コネクタ嵌着凹部２３を形成している突出部２０Ｂの内面に、コネクタ３０の連結部３４を挿入するための脱着凹部２４を設けている。
【００４５】
コネクタ３０は、ツマミ部３３をコネクタ嵌着凹部２３に嵌着する状態で、連結部３４を脱着凹部２４に挿入できる位置に連結部３４を設けている。このコネクタ３０のツマミ部３３は、コネクタ嵌着凹部２３に連結された状態で、本体ケース部２０Ａの円盤状の接線に沿って延長される第１コネクタ面３０Ｐと、外装ケース２０の第２突出面２０Ｑに沿う形状であって、連結部３４を突出するように設けている第２コネクタ面３０Ｑと、突出部２０Ｂの先端面２０Ｒの延長線上に位置する第３コネクタ面３０Ｒと、一端を第１コネクタ面３０Ｐに、他端を第２コネクタ面３０Ｑに連結して、本体ケース部２０Ａの円盤の円弧に沿う形状としている第４コネクタ面３０Ｓとを有し、コネクタ３０のツマミ部３３がコネクタ嵌着凹部２３にセットされる状態で、コネクタ３０と突出部２０Ｂとが円盤状の本体ケース部２０Ａから半径方向に突出するようしている。
【００４６】
図７の充電アダプタ１０は、コネクタ３０のツマミ部３３の第１コネクタ面３０Ｐと、外装ケース２０突出部２０Ｂの第１突出面２０Ｐの両方を、円盤状の本体ケース部２０Ａの接線方向に延びる形状とし、さらに、第１コネクタ面３０Ｐと第１突出面２０Ｐとを互いに平行とする。この充電アダプタ１０は、コネクタ嵌着凹部２３にコネクタ３０を連結する状態で、突出部２０Ｂとコネクタ３０の横幅（Ｗ）が本体ケース部２０Ａの直径（Ｄ）にほぼ等しくなる。したがって、突出部２０Ｂとコネクタ３０とを本体ケース部２０Ａの円盤から一方に突出させる形状となる。さらに、図８の充電アダプタ１０は、突出部２０Ｂの先端面２０Ｒを、第１突出面２０Ｐと第２突出面２０Ｑに対して直交する形状とし、さらに、コネクタ３０の第３コネクタ面３０Ｒと突出部２０Ｂの先端面２０Ｒとを直線状とするので、コネクタ３０を突出部２０Ｂの先端面２０Ｒから突出させることなく連結できる。さらに、図８の充電アダプタ１０は、突出部２０Ｂとコネクタ３０とを線対称な相似形としている。この充電台９０は、コネクタ３０のツマミ部３３を大きくして、ユーザーがツマミ部３３を掴んで、コネクタ嵌着凹部２３に連結し、あるいはコネクタ嵌着凹部２３から外して電池内蔵機器８０に便利に脱着できる。
【００４７】
以上の充電アダプタ１０は、外装ケース２０とコネクタ３０を以下の寸法としている。外装ケース２０は、図８と図９に示すように、本体ケース部２０Ａを、直径（Ｄ）が約３８ｍｍである円形の円盤状として、外径を約３０ｍｍとする受電コイル１５を収納すると共に、この本体ケース部２０Ａの外周縁の厚さ（Ｔ１）を約７ｍｍ、ドーム状である中央部の厚さ（Ｔ２）を約９ｍｍとしている。さらに、外装ケース２０は、この本体ケース部２０Ａの外周縁から突出する突出部２０Ｂの突出量（Ａ）を約１０ｍｍとして、縦方向の全長（Ｌ）を約４８ｍｍとしている。すなわち、外装ケース２０の突出部２０Ｂは、第１突出面２０Ｐの横幅を約２４ｍｍ、第２突出面２０Ｑの横幅を約１０ｍｍ、先端面２０Ｒの横幅を約１９ｍｍとし、さらに、厚さを約７ｍｍとする形状として、本体ケース部２０Ａの外周縁から突出する形状に一体成形している。さらに、コネクタ３０は、図８に示すように、第１コネクタ面３０Ｐの横幅（Ｂ）を約２０ｍｍとし、第２突出面２０Ｑの横幅を、突出部２０Ｂの突出量（Ａ）に等しくして約１０ｍｍとし、第３コネクタ面３０Ｒの横幅（Ｃ）を約１９ｍｍとし、さらに、厚さを約７ｍｍとする形状として、外装ケース２０の突出部２０Ｂとほぼ等しい外形としている。以上の充電アダプタ１０は、全体の外形を４０ｍｍ×５０ｍｍ×１０ｍｍよりも小さくして、コンパクトに持ち運びできる。ただ、充電アダプタは、本体ケース部の直径（Ｄ）を３０〜５０ｍｍとし、突出部の突出量（Ａ）を８ｍｍ〜２５ｍｍとして、外装ケースの全長（Ｌ）を３８ｍｍ〜７５ｍｍ、厚さを５ｍｍ〜１５ｍｍとし、さらに、コネクタを、この外装ケースのコネクタ脱着凹部に脱着できる外形とすることもできる。
【００４８】
コネクタ３０のツマミ部３３は、外装ケース２０を成形しているプラスチックよりも軟質なプラスチックで成形している。さらに、コネクタ３０は、図７と図１２に示すように、ツマミ部３３の第４コネクタ面３０Ｓの途中からリード線１１をツマミ部３３の外部に引き出している。リード線１１は、第４コネクタ面３０Ｓの中央部と、第４コネクタ面３０Ｓと第１コネクタ面３０Ｐとのコーナー部との間から、第４コネクタ面３０Ｓに沿うようにして、ツマミ部３３の外部に引き出している。このコネクタ３０は、図７と図１２の矢印Ａで示すように、リード線１１が第１コネクタ面３０Ｐと第４コネクタ面３０Ｓとのコーナー部３０Ｔで曲げられるように引っ掛けて引っ張られる状態で、コーナー部３０Ｔが、矢印Ａで示す方向に弾性変形して、リード線１１の断線を防止できる。弾性変形するコーナー部３０Ｔが、リード線１１の引っ張りの衝撃を緩和するからである。
【００４９】
コネクタ３０は係止構造で外装ケース２０のコネクタ嵌着凹部２３に連結される。係止構造を実現するために、図７と図１２のコネクタ３０は、第４コネクタ面３０Ｓから突出するように、係止凸条３７を一体的に成形して設けている。この係止凸条３７を係止状態で案内できる係止凹部２７を、外装ケース２０の外周面である周壁２１Ｂ、２２Ｂに設けている。このコネクタ３０は、係止凸条３７を係止凹部２７に挿入して、脱落しないように、外装ケース２０に連結される。
【００５０】
図に示すコネクタ３０のツマミ部３３は、外装ケース２０を成形しているプラスチックよりも軟質のプラスチックで成形しているので、係止凸条３７も軟質のプラスチックで一体的に成形して設けている。軟質なプラスチックで成形される係止凸条３７は、その外形を係止凹部２７の内形にほぼ等しくし、あるいはわずかに大きくしても、これを弾性変形しながら係止凹部２７に嵌入して外れにくく連結できる。ただ、係止凸条は係止凹部よりも多少小さくすることもできる。また、外装ケース２０は、コネクタ３０の係止凸条３７を案内する係止凹部２７を外周縁に沿って設けている。この係止凹部２７は、リード線１１を案内するガイド溝２６に沿う溝状としている。図７と図１２に示す係止凹部２７は、ガイド溝２６よりも深く成形しており、ここに嵌入され係止凸条３７を確実に保持できるようにしている。
【００５１】
さらに、コネクタ３０は、嵌着凹部２４に挿入される連結部３４によっても係止構造で外装ケース２０に連結される。すなわち、コネクタ３０は、図１２の矢印Ｂで示すように、本体ケース部２０Ａのコネクタ嵌着凹部２３側に形成される係止凹部２７に係止凸条３７を案内しながら、矢印Ｃで示すように、突出部２０Ｂに形成される脱着凹部２４に連結部３４が挿入されて、コネクタ嵌着凹部２３に係止構造で連結される。したがって、外装ケース２０は、突出部２０Ｂに設ける脱着凹部２４の内形をコネクタ３０の外形に沿う形状として、連結部３４を圧入しながら連結して外れにくくすることができる。図１２に示す脱着凹部２４は、連結部３４の外周面を押圧する押圧凸部２４ａを内面から突出して設けており、連結部３４を外れにくくしている。ただ、脱着凹部は、連結部を嵌入する筒状に成形することもできる。
【００５２】
さらに、図に示す外装ケース２０は、突出部２０Ｂを貫通するストラップ用ホール２８を設けている。このストラップ用ホール２８は、図６の鎖線で示すように、紐材１９Ａであるストラップ１９を挿通して連結される。ストラップ１９を連結してなる充電アダプタ１０は、ストラップ１９を介して電池内蔵機器８０に連結して、電池内蔵機器８０と一緒に便利に携帯できる。図１１に示す外装ケース２０は、ストラップ用ホール２８の開口縁部であって、底プレート２２Ａに面する側の周囲を、底プレート２２Ａよりも低くなるように段差部２２ｄを設けている。この段差部２２ｄは、突出部２０Ａの外周縁まで延長しており、この段差部２２ｄに配置されるストラップ１９である紐材１９Ａが、底プレート２２Ａの下面よりも突出しないようにしている。この構造の充電アダプタ１０は、底プレート２２Ａを充電台９０の載せプレート９６に載せる状態で、紐材１９Ａであるストラップ１９が段差部２２ｄに配置されるので、底プレート２２Ａの下面より突出するのを防止して、充電アダプタ１０の底面プレート２２Ａを充電台９０の上面に密着する状態で配置できる。したがって底面プレート２２Ａを載せプレート９６の上面に沿う正しい姿勢で配置して、効率よく充電できる特長が実現できる。
【００５３】
以上の充電コネクタは、以下のようにして使用する。
［電池内蔵機器の内蔵電池を充電するとき］
（１）図７に示すように、充電アダプタ１０のコネクタ３０を外装ケース２０のコネクタ嵌着凹部２３から外し、外装ケース２０のガイド溝２６に収納されているリード線１１をガイド溝２６から引き出す。
（２）図１３に示すように、コネクタ３０の連結部３４を電池内蔵機器８０のコネクタ８４に装着する。
（３）図１４に示すように、リード線１１を介して電池内蔵機器８０に接続され充電アダプタ１０を充電台９０の載せプレート９６に載せる。充電アダプタ１０は、外装ケース２０の底プレート２２Ａが下面となるように載せプレート９６に配置する。このとき、充電アダプタ１０に接続された電池内蔵機器８０は、充電台９０に載せることができ、あるいは、充電台に載せることなく、充電台の周囲に置くこともできる。
（４）充電台９０に充電アダプタ１０がセットされると、充電台９０は、充電アダプタ１０に内蔵される受電コイル１５の位置を検出して、受電コイル１５に接近するように送電コイル９５を移動させる。送電コイル９５を受電コイル１５に接近させた状態で、充電台９０は、送電コイル９５から受電コイル１５に磁気誘導作用で電力搬送する。
（５）充電アダプタ１０は、送電コイル９５から受電コイル１５に誘導される交流を充電回路１３で直流の充電電力に変換して出力し、電池内蔵機器８０の内蔵電池８１を充電する。
（６）その後、電池内蔵機器８０の内蔵電池８１が充電されると、充電アダプタ１０を充電台９０から外し、電池内蔵機器８０に連結しているコネクタ３０の連結部３４を電池内蔵機器８０のコネクタ８４から抜き取る。
（７）リード線１１を外装ケース２０の外周面に巻き付けるようにガイド溝２６に案内しながら、コネクタ３０をコネクタ嵌着凹部２３に連結する。コネクタ３０は、図１２に示すように、係止凸条３７を本体ケース部２０Ａのコネクタ嵌着凹部２３側に設けた係止凹部２７に案内すると共に、連結部３４を突出部２０Ｂに設けた脱着凹部２４に嵌入して、外装ケース２０にコンパクトに連結される。
【符号の説明】
【００５４】
１０…充電アダプタ
１１…リード線                    １１Ａ…フラットケーブル
１１ａ…フラット面
１３…充電回路
１４…回路基板                    １４Ａ…嵌着部
１４ａ…貫通孔
１５…受電コイル
１６…シールドプレート
１７…絶縁シート
１８…電子部品
１９…ストラップ                  １９Ａ…紐材
２０…外装ケース                  ２０Ａ…本体ケース部
２０Ｂ…突出部
２０Ｐ…第１突出面
２０Ｑ…第２突出面
２０Ｒ…先端面
２１…上ケース                    ２１Ａ…上面プレート
２１Ｂ…周壁
２１Ｃ…突出領域
２１ａ…センター筒
２２…下ケース                    ２２Ａ…底プレート
２２Ｂ…周壁
２２Ｃ…突出領域
２２ａ…センター軸
２２ｂ…載せ台部
２２ｃ…湾曲部
２２ｄ…段差部
２３…コネクタ嵌着凹部
２４…脱着凹部                    ２４ａ…押圧凸部
２５…ガイド隙間                  ２５Ａ…Ｕ曲部
２６…ガイド溝
２７…係止凹部
２８…ストラップ用ホール
２９…中空部
３０…コネクタ                    ３０Ｐ…第１コネクタ面
３０Ｑ…第２コネクタ面
３０Ｒ…第３コネクタ面
３０Ｓ…第４コネクタ面
３０Ｔ…コーナー部
３３…ツマミ部
３４…連結部
３５…接点
３７…係止凸条
４１…整流回路
４２…平滑回路                    ４２Ａ…平滑コンデンサー
４３…定電圧・定電流回路
８０…電池内蔵機器
８１…内蔵電池
８４…コネクタ
９０…充電台
９２…外装ケース
９３…交流電源
９５…送電コイル
９６…載せプレート
９９…ＡＣアダプタ
１１０…充電アダプタ
１１１…リード線
１２０…ケース
１３０…コネクタ
１８０…電池内蔵機器
２１０…充電アダプタ
２２０…アダプタ本体
２３０…ＵＳＢコネクタ
【図１】
2012223027.tif 000003
【図２】
2012223027.tif 000004
【図３】
2012223027.tif 000005
【図４】
2012223027.tif 000006
【図５】
2012223027.tif 000007
【図６】
2012223027.tif 000008
【図７】
2012223027.tif 000009
【図８】
2012223027.tif 000010
【図９】
2012223027.tif 000011
【図１０】
2012223027.tif 000012
【図１１】
2012223027.tif 000013
【図１２】
2012223027.tif 000014
【図１３】
2012223027.tif 000015
【図１４】
2012223027.tif 000016
【図１５】
2012223027.tif 000017
【図１６】
2012223027.tif 000018